(57)【特許請求の範囲】
【請求項１】
第１ケース及び第２ケースを有して内部に制御基板が設けられた基板ユニット、及び前記基板ユニットが取り付けられる取付台を備えた遊技機であって、
前記基板ユニットは、
前記第１ケース側に設けられる第１封止部と、
前記第２ケース側に設けられる第２封止部と、
前記第１封止部と前記第２封止部とを連結する第１の封止部材とを有し、
前記第１の封止部材によって前記第１封止部と前記第２封止部とが連結されている場合に前記制御基板を取り出すときには当該基板ユニットを破壊するか或いは所定の部位を切断することを必要とし、
前記基板ユニットには、前記制御基板に設けられたコネクタに接続されるハーネスを外部に導出する状態で前記コネクタを覆うように合成樹脂製の接続部カバーが取り付けられ、
前記接続部カバーには、第３封止部が設けられ、
前記取付台には、前記第３封止部に対応する第４封止部が設けられ、
前記接続部カバーの閉状態において、第２の封止部材によって前記第３封止部と前記第４封止部とが連結されている場合に前記接続部カバーを開状態とするときには前記接続部カバーを破壊するか或いは所定の部位を切断することを必要とするように構成する、
ことを特徴とする遊技機。
【発明の詳細な説明】
【技術分野】
【０００１】
本発明は、パチンコ機やスロットマシンに代表される遊技機に関するものである。
【背景技術】
【０００２】
このような遊技機としては、遊技を制御する制御基板を内部に収容した基板ボックスを有する基板ユニットを備え、この基板ユニットは、封止機構（通常、封止部材により封止される封止部が複数ある）を備えており、基板ユニットを開封してＲＯＭ交換等の不正行為をしようとすると痕跡が残り、不正が行われたことを容易に発見できるようにされているものが知られている。
【０００３】
また、前記封止部材を複数設けることで、これらを個別に使用するようにし、複数回の開閉操作（開封、封印）を可能にしている。
【０００４】
更に、前記基板ボックスに収容される制御基板のコネクタに外部からハーネスを接続させるために、基板ボックスには開口が必要となるが、コネクタ部分に不正行為がされることを考慮すれば、この開口はできるだけコネクタの形状に対応した大きさに止めて間隙の大きさを最小限にしておくことが望ましい。
【０００５】
このため、コネクタの数や形状の異なる複数種類の制御基板に対して、それぞれ基板ボックスを別個に開発し、製作する必要が生じる。
【０００６】
このような問題を解消するために、従来においては、基板ボックスにはコネクタに対応する箇所を設けず、基板ボックスとは別体としてコネクタ用開口を形成した部材（コネクタカバー）を設けるようにした基板ユニットを備える遊技機が提案されている。
【０００７】
このようにすれば、各種の遊技機の制御基板においてコネクタの数や形状などが異なる場合であっても、それぞれ別の形状の基板ボックスを用意する必要がなくなり、コネクタカバーだけを換えれば対応できるため、余分な手間やコストがかからない。
このような構成の遊技機については、例えば、次の文献を挙げることができる。
【先行技術文献】
【特許文献】
【０００８】
【特許文献１】特開２０００−３２５６２８号公報
【発明の概要】
【発明が解決しようとする課題】
【０００９】
しかし、上述した従来のコネクタカバーは、基板ボックスと別体としたことにより各種の遊技機に対応した基板ボックスを用意する必要が無くなったという点において進歩が見られたが、基板ボックスの開口とコネクタとの間の間隙を埋める部材として考えられたもので、十分な強度を持たせるという構造を備えているものではなく、そのため、コネクタカバーを強制的に変形させることにより、間隙を形成してコネクタ部分に対する不正が行われる虞があった。
【００１０】
また、前記コネクタカバーに設ける開口をコネクタの形状に対応した大きさに止めた場合にも、その接続箇所は基板ボックスの外側に露出しているために、ある種のハーネスと制御基板とを接続するコネクタ、例えば球検出センサと制御基板とを接続するコネクタに別部品を介在させて不正な信号を基板に送出し、不正な動作（入賞していないのに賞球を払い出させるなど）を行わせる等の不正が行われる危険性は残る。したがって、制御基板に各種ハーネスを接続した後にその接続箇所をも含めて基板ボックス内部に収納して、その状態で基板ボックスを封止状態とするのが本来は望ましい。
ところが、各種ハーネスの接続は、通常、遊技機の完成間近に行われることからその時点まで基板ボックスを封止状態としないものとすると、ＲＯＭのすり替えなどの不正が行われる危険性が増大し、制御基板本体についての不正防止性が低下する。
【００１１】
そこで、先ず、コネクタ接続を行う接続用窓部を覆う接続部カバーを設けることを考えた。そして、この接続部カバーを、基板ユニットのケースの封止とは別個に封止できるようにすればよいのではないかと考えた。
また、その接続部カバーの閉鎖の際に、コネクタから伸びるハーネスが、接続部カバーとケースの側壁とに挟まれることがないようにして、この接続部カバーから導出されるようにするにはどのようにすればよいかと考えた。
【００１２】
本発明は、かかる問題点に鑑みて案出されたものであり、制御基板に対する不正を抑制できるようにすることを目的とする。
【課題を解決するための手段】
【００１３】
本発明に係る遊技機は、
第１ケース及び第２ケースを有して内部に制御基板が設けられた基板ユニット、及び前記基板ユニットが取り付けられる取付台を備えた遊技機であって、
前記基板ユニットは、
前記第１ケース側に設けられる第１封止部と、
前記第２ケース側に設けられる第２封止部と、
前記第１封止部と前記第２封止部とを連結する第１の封止部材とを有し、
前記第１の封止部材によって前記第１封止部と前記第２封止部とが連結されている場合に前記制御基板を取り出すときには当該基板ユニットを破壊するか或いは所定の部位を切断することを必要とし、
前記基板ユニットには、前記制御基板に設けられたコネクタに接続されるハーネスを外部に導出する状態で前記コネクタを覆うように合成樹脂製の接続部カバーが取り付けられ、
前記接続部カバーには、第３封止部が設けられ、
前記取付台には、前記第３封止部に対応する第４封止部が設けられ、
前記接続部カバーの閉状態において、第２の封止部材によって前記第３封止部と前記第４封止部とが連結されている場合に前記接続部カバーを開状態とするときには前記接続部カバーを破壊するか或いは所定の部位を切断することを必要とするように構成する、
ことを特徴としている。
【発明の効果】
【００１４】
本発明によれば、本発明によれば、制御基板に対する不正を抑制できる利点がある。
【図面の簡単な説明】
【００１５】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例である遊技盤の背面図である。
【図７】本発明にかかる遊技機の一例であるパチンコ機の基板ユニットの表面側か見た分解斜視図である。
【図８】本発明にかかる遊技機の一例であるパチンコ機の基板ユニットの表面側から見た要部の斜視図である。
【図９】本発明にかかる遊技機の一例であるパチンコ機の基板ユニットの正面図である。
【図１０】本発明にかかる遊技機の一例であるパチンコ機の基板ユニットの一作用状態を示す断面図である。
【図１１】本発明にかかる遊技機の一例であるパチンコ機の封止部材の斜視図である。
【図１２】実施形態２の遊技機の基板ユニットの表面側か見た分解斜視図である。
【図１３】実施形態３の遊技機の基板ユニットの一作用状態を示す要部断面図である。
【図１４】本発明にかかる遊技機の一例であるパチンコ機の基板ユニットの要部の一作用状態を示す一部破断斜視図である。
【図１５】本発明にかかる遊技機の一例であるパチンコ機の基板ユニットの図１４におけるＡ−Ａ線矢視断面図である。
【図１６】本発明にかかる遊技機の一例であるパチンコ機の基板ユニットの要部の一作用状態を示す一部破断斜視図である。
【図１７】本発明にかかる遊技機の一例であるパチンコ機の基板ユニットの図１６におけるＢ−Ｂ線矢視断面図である。
【図１８】本発明にかかる遊技機の一例であるパチンコ機の基板ユニットの要部の一作用状態を示す一部破断斜視図である。
【図１９】本発明にかかる遊技機の一例であるパチンコ機の基板ユニットの図１８におけるＣ−Ｃ線矢視断面図である。
【図２０】本発明にかかる遊技機の一例であるパチンコ機のハーネスフックの別態様を示す斜視図である。
【発明を実施するための形態】
【００１６】
本発明において、次の語彙を明らかにしておく。
第１ケース及び第２ケースとは、称呼上の区別であって、制御基板を収容する本体部或いはその蓋体部の何れを現すかは適宜に用いられるものであり、実施例では、制御基板を収容する本体部を第１ケースと呼称している。
【００１７】
前記第１ケースの接続用窓部とは、コネクタ接続により外部へ接続するための開口である。この外部とは、基板ユニット内の別部材への接続も含まれるし、基板ユニットの外部に対する接続も含まれる。
【００１８】
また、第１ケースの前記接続用窓部を形成する窓部壁体とは、その形状を問わず、窓部を形成する近辺の壁体をいう。
【００１９】
また、第３ケースとは、前記接続用窓部を覆うもので、実施例はケース状（物を収容する容器）のものではないが（コの字の内側壁体を有するが）、第１ケース及び第２ケースとは別体の物として、第３ケースの称呼を与えている。
【００２０】
更に、第１ケースの接続用窓部を第３ケースが密着状態で覆うとは、例えば、第３ケースの本体部に設けられたコネクタ用開口部より外側を囲うように在る所定部分（本体部の所定部分）と、それに対応する第１ケースの所定部分とが密着状態となっていることを指す。
【００２１】
そして、第３ケースのコネクタ用開口部とは、制御基板に接続されるコネクタが位置するための開口である。
【００２２】
前記第３ケースの前記コネクタ用開口部を覆う本体部の周辺部の一部とは、本体部が正面視で矩形である場合には、その４辺の少なくとも一辺又は一辺の一部を指す。
【００２３】
更にまた、封止状態とは、その状態が解除されたときには必ずその痕跡が残る状態を意味している。したがって、封止状態を解除することが物理的には容易であっても、管理権限者に知られないように封止状態を解除することは不可能乃至は著しく困難であり、この結果、封止状態を権限なく解除して制御基板等に何らかの細工を行えば、その事実は容易に管理権限者の知るところとなるものである。
【００２４】
本発明にかかる遊技機は、手段１として、
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する第１の封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部が設けられた遊技機において、
前記コネクタのハーネスを外部に導出する状態で前記接続用窓部を覆うように合成樹脂製の接続部カバーを前記第１ケースに開閉自在に支持する支持部と、
該接続部カバーに設けられる第３封止部と、
該第３封止部に対応する第４封止部とを備え、
前記接続部カバーの閉状態において、前記第３封止部と第４封止部とを第２の封止部材を用いて連結し、その封止部材によって前記第３封止部と第４封止部とが連結されている場合に前記接続部カバーを開閉するときには該接続部カバーを破壊するか或いは所定の部位を切断することを必要とするように構成し、
前記接続部カバーが前板部を有し、
該前板部に、前記コネクタのハーネス取り出し用の少なくとも一つの凹部を、該前板部の支持部から遠い側の側辺から支持部側に入り込む状態で設け、
前記凹部に近接してハーネスフックを前記接続部カバーに一体的に設けてある、
ことを特徴とする。
【００２５】
このように、制御基板を収納するための基板ユニットを形成する第１ケースと第２ケースとを封止状態にて結合する第１封止部と第２封止部と、制御基板に各種ハーネスを接続するための第１ケースの接続用窓部を覆う接続部カバーを封止状態にて固定する第３封止部と第４封止部とを別個に設けたことによって、製造段階における制御基板に対する不正行為を第１封止部と第２封止部により防止し、制御基板とある種のハーネス、例えば遊技球の入賞口に配設される球検出センサのハーネスとの接続箇所に不正な部品を介在させて、制御基板を不正に動作させるような不正行為を防止することが可能となる。すなわち、前記接続箇所に対する不正を防止するためには、前記接続用窓部を廃止し、制御基板に各種ハーネスを接続した上で制御基板を基板ユニット内部に収納して外部からのアクセスが不能なように封止してしまうことが本来は望ましい。ところが、各種ハーネスの接続は、通常、遊技機の完成間近に行われることからその時点まで基板ユニットを封止状態としないものとすると、その時点までにＲＯＭのすり替え等の不正が行われる危険性が増大する。つまり、遊技機の製造段階での不正防止性が低下する。したがって、前記接続箇所を覆う接続部カバーを、基板ケースとは別異に封止状態とする第３封止部と第４封止部を設けたことにより、制御基板本体については製造段階の早い時期に封止状態にて基板ユニットに収納することが可能となり、これにより製造段階（コネクタ接続前）での制御基板に対する不正行為を防止しつつ、コネクタの接続後においても制御基板と各種ハーネスとの接続箇所に対する不正行為を防止することが可能となる。
【００２６】
また、前記接続部カバーは第１ケース及び第２ケースとは別部品ではあるが、第１ケースに接続部カバーを開閉自在に設けるようにしたことによって、制御基板に各種ハーネスを接続する際に接続部カバーを開状態としておくだけで基板ユニットから取り外したり、取り付けたりする必要がなく、接続部カバーを紛失する虞れもなく、前記ハーネスの接続作業が簡易化される。
殊に、前記接続部カバーが前板部を有し、該前板部に、前記コネクタのハーネス取り出し用の少なくとも一つの凹部を、該前板部の支持部から遠い側の側辺から支持部側に入り込む状態で設け、前記凹部に近接してハーネスフックを前記接続部カバーに一体的に設けてあることによって、接続部カバーの閉鎖時に、コネクタから伸びるハーネスを凹部から取り出す状態で閉鎖する際、ハーネスが前板部と第１ケースの側壁との間に挟まれ、断線する虞が多々あったものが、前記ハーネスフックによってハーネスを前板部の下端縁から遠ざけて凹部の中ほどに位置させ、以って、前記接続部カバーの閉鎖時にハーネスの噛みこみを防止し、その挟み込みの発生を未然に回避することができたものである。
また、ハーネスの挟み込みによって接続部カバーの完全閉塞状態が得られなくなる虞も回避できたのである。
【００２７】
手段２：手段１の遊技機において、
前記ハーネスフックが、前記凹部の入り口部の一側部を基端部とし、該凹部を所定の間隔を隔てて横切るように延設され、他側部に対して遊離した遊端部に構成され、略Ｌ字型の断面を有していることを特徴とする。
このように、ハーネスフックを平面視略Ｌ字型に形成し、一方端を遊端部に構成することによって、その成型素材の弾性変形を行い易く、ハーネスをその遊端部に当てつけることで該遊端部を持ち上げるようにして隙間を形成でき、容易にハーネスを凹部内に進入させることができる。
【００２８】
手段３：手段１又は手段２の遊技機において、
前記ハーネスフックが、前記凹部の入り口部側から反対側に向けて幅を有する板状体で構成され、前記遊端部は鈎爪に構成されている、
ことを特徴とする。
このように、ハーネスフックが凹部の入り口部側から反対側に向けて幅を有する板状体で構成されているので、凹部に入ったハーネスは、その板幅分だけ、凹部の入り口部から内方に遠ざけることができ、即ち、前板部の下端部から遠ざけることができて、この下端部と第１ケースの側壁との間での挟み込みをより確実に回避することができる。
そして、前記遊端部が鈎爪に構成されているので、ハーネスが外方から弱い力で入り込むのを許容するが、それよりも大きな力が作用しなければ抜け出すことができないもので、ハーネスのいり状態を確実に確保できる。
【００２９】
手段４：手段１の遊技機において、
前記ハーネスフックは、各フック部分が、前記凹部の入り口部の両側部を基端部とし、該凹部の中央に向けて夫々対向する状態で近接するように延設され、各フック部分は、弾性変形によって外方から凹部へのハーネスの進入を許容するが容易に外方に抜け出せないように構成されていることを特徴とする。
このように、ハーネスフックが二つの部分で構成され、そのフック部分が弾性変形することで、その凹部の中央部における各フック部分の対向部からハーネスを凹部内に進入させるものであるから、ハーネスを真っ直ぐの状態から凹部内に進入させることができて、ハーネスを横に捻る必要がなく（ハーネスフックがＬ型構造の場合）、スムースな挿入が可能である。
【００３０】
手段５：前記手段１乃至手段４の遊技機において、
前記第４封止部を第１ケースに設けてあることを特徴とする。
このように、第４封止部を第１ケースにのみ設けてある場合には、接続部カバーの封止は、第１ケースと第２ケースの封止とは無関係となり、従って、上述したダブルの封止機能は存在しないが、第１ケースと第２ケースの封止、開封に際して、この接続部カバーの封止を解除する必要がなく、余分な手間をかけることもないという利点がある。
この第４封止部を第１ケースと他の部位に設ける併用の場合には、接続部カバーの封止を異なる対象物にすることとなり、組み立ての異なるステップにおいて、例えば、早い段階では第１ケースの第４封止部を用い、一旦遊技盤に設置された後に一度第１ケースの第４封止部が開封された後では、例えば、取付台の第４封止部を用いる等、個別に選択して用いることも可能である。
【００３１】
手段６：前記手段１乃至手段４の遊技機において、
前記第４封止部を基板ユニットの取付台に設けてあることを特徴とする。
このように、第４封止部を基板ユニットの取付台に設けたことで、取付台の成型時に第４封止部も同時に形成できて簡単であると共に接続部カバーの封止が行われた状態は、この接続部カバーの自体の封止は勿論ながら、この接続部カバーが、取付台を介して、第１ケースと第２ケースとを一体に封止することにもなるので、第１ケースと第２ケースとを封止状態にて結合する第１封止部と第２封止部と合わせて、第１ケースと第２ケースがダブルに封止されることになり、二重の封止が得られる。
また、接続部カバーの封止は、取付台を一体化するものであるので、第１ケースと第２ケースが取付台に載置された状態であれば、所用の組み立て工程中、何時でも行い得るのである。
【００３２】
手段７：前記手段１乃至手段４の遊技機において、
前記第４封止部を第２ケースに設けてあることを特徴とする。
このように、第４封止部を第２ケースに設けたことで、第２ケースの成型時に第４封止部も同時に形成できて簡単であると共に接続部カバーの封止が行われた状態は、この接続部カバーの自体の封止は勿論ながら、この接続部カバーが第１ケースと第２ケースとを一体に封止することにもなるので、第１ケースと第２ケースとを封止状態にて結合する第１封止部と第２封止部と合わせて、第１ケースと第２ケースがダブルに封止されることになり、二重の封止が得られる。
【００３３】
手段８：前記手段１乃至手段７の遊技機において、
前記接続部カバーの一側部に、該接続部カバーの長手方向に沿う軸心を持つ支軸が設けられ、前記第１ケースに対して回動可能に枢着され、前記接続用窓部を開閉できるように構成されている。
このように、接続部カバーを支軸周りに回動させる構成としたことで、接続用窓部の開閉をスムースに行い得る。
【００３４】
手段９：前記手段８の遊技機において、
前記第１ケースに枢支連結のための軸受鈎部が設けられ、前記支軸が、前記接続部カバーの一側部に形成した開口により、該開口に隣接する前記接続部カバーの側部によって一体構成され、且つ、該開口が前記軸受鈎部の一部を挿通する大きさに形成されていることを特徴とする。
このように、支軸を、接続部カバーの一側部に形成した開口により構成したことで、格別に軸部材を準備する必要がなく、部品の兼用が可能であり、また、その開口が枢支連結に必要な軸受鈎部の一部の挿通を許容することで、ヒンジ連結を可能にしている。
【００３５】
手段１０：前記手段９の遊技機において、
前記接続部カバーの開口が所定の間隔を隔てて複数個形成されて対応する支軸を形成し、これに対応させて前記軸受鈎部が複数個設けられていることを特徴とする。
このように、支軸を複数個位置することによって、前記接続部カバーの第１ケースに対する支持を確実なものすることができ、安定した開閉を行い得ると共に１個であれば此れを破壊して容易に接続部カバーを取り外すことができるが、複数個備えられていることで、全てを破壊しなければ接続部カバーを取り外すことができなくなり、不正の封止解除に手間を要するようになる。
【００３６】
手段１１：前記手段１０の遊技機において、
前記接続用窓部を密着状態で覆い、少なくとも一つのコネクタ用開口部を有する第３ケースを、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させ、該内側壁体に複数の軸支持用板部を突設し、該軸支持用板部に対応させて前記窓部壁体に、該軸支持用板部を挿通する凹部が夫々設け、前記軸支持用板部が前記軸受鈎部の鈎形を閉じて軸受けを形成するように構成してあることを特徴とする。
【００３７】
上記第３ケースとは、前記接続用窓部を覆うもので、実施例はケース状（物を収容する容器）のものではないが（コの字の内側壁体を有するが）、第１ケース及び第２ケースとは別体の物として、第３ケースの称呼を与えている。
【００３８】
更に、第１ケースの接続用窓部を第３ケースが密着状態で覆うとは、例えば、第３ケースの本体部に設けられたコネクタ用開口部より外側を囲うように在る所定部分（本体部の所定部分）と、それに対応する第１ケースの所定部分とが密着状態となっていることを指す。
【００３９】
そして、第３ケースのコネクタ用開口部とは、制御基板に接続されるコネクタが位置するための開口である。
【００４０】
前記第３ケースの前記コネクタ用開口部を覆う本体部の周辺部の一部とは、本体部が正面視で矩形である場合には、その４辺の少なくとも一辺又は一辺の一部を指す。
【００４１】
更に、第３ケースの内側壁体とは、第１ケースの前記接続用窓部を形成する窓部壁体の内側（第１ケースの内部側）に位置するという意味で付された用語である。
【００４２】
このように、第３ケースによる接続用窓部の封鎖による基板ユニット内への不正侵入防止を図ると共にその第３ケースの内側壁体に設けた軸支持用板部を前記窓部壁の凹部を通過させて外方に突出し、この軸支持用板部によって前記接続部カバーの軸受鈎部の鈎形を閉じて軸受けを形成するものであるので、第３ケースの組み付け時には接続部カバーの組み付けも行われ、接続部カバーの回動自在の枢着を、ピン等の別部材と軸支構造を準備することなく、これら部材の順次の組み立てによってヒンジ構造が出来上がるものであり、簡単な構造でありながら接続部カバーの開閉が行い得る。
【００４３】
そして、このように、少なくとも一つのコネクタ用開口部を有し、第１ケースの接続用窓部を密着状態で覆う第３ケースを設けたことにより、前記接続用窓部を介して制御基板に何らかの不正な細工を施すことが著しく困難となってより完全に不正行為を防止することが可能となる。加えて、第３ケースの本体部の周辺部の一部に内側壁体を立設させたことによって、この第３ケースを構造的に強度あるものとすることができて、基板ユニットの内部へのワイヤー、冶具等による不正侵入に際して、第３ケースを変形させようとしたときに容易に変形させることが難しくなり、不正侵入をより一層確実に防止できる。
また、この内側壁体を前記第１ケースの前記接続用窓部を形成する窓部壁体の内側面に密着するようにしていることで、内側壁体と窓部壁体とが重なる部分が生じ、且つ、内側壁体が本体部から立設されていることで、両者の間にワイヤー等を侵入させようとしても、内側壁体が邪魔になって直線的に侵入できないと共に両者間に侵入を開始できたとしても、前記両者の重なる部分を通過しなければならず、その侵入方向が制限されることとなって、ケース内部に対する不正を容易に行い得ないのである。
【００４４】
手段１２：前記手段１１の遊技機において、
前記第１ケースの内側面に、前記第３ケースの内側壁体の上端部と嵌合する溝が設けられたことを特徴とする。
【００４５】
前記構成によれば、溝と内側壁体の上端部との嵌合により、接続用窓部において窓部壁体と内側壁体との隙間から異物を侵入させたとしても前記溝と内側壁体との嵌合部にてそれ以上の侵入が阻止されることになり、不正な細工が行われるのをより完全に防止することが可能となる。
【００４６】
手段１３：前記手段１２の遊技機において、
前記接続部カバーが、所定回数の曲げ伸ばしが可能なように形成された薄肉部分を介して前記第１ケースと一体的に形成されていることを特徴とする。
この構成によれば、より簡易な構造で接続部カバーを、姿勢切替可能に第１ケースに設けることが可能となる。接続部カバーはごく限られた回数（通常４回程度）の開閉だけが予定されたものであり、何十回、何百回の開閉を予定しないものであるから、接続部カバーを所定回数の曲げ伸ばしが可能なように形成された薄肉部分を介して第１ケースと一体的に形成することによって、少なくともその回数だけは前記薄肉部分を破壊することなく接続部カバーを開閉することができる。したがって、このような簡易な支持機構でも封止状態にて閉姿勢の接続部カバーを固定することが可能となる。また、薄肉部分は容易に破壊し得るものであるが、薄肉部分を破壊して何らかの不正を行ってもその痕跡は必ず残り、その事実は管理権限者の知るところとなるものであるから封止機能が損なわれることもない。
【００４７】
手段１４：前記手段１３の遊技機において、
前記第１ケースに、前記接続用窓部及び前記制御基板の表面から所定距離離れて略水平方向に設けられる天板部と、前記接続用窓部及び前記天板部を繋ぐ窓部壁体とが設けられ、
前記第３ケースを、そのコネクタ用開口部より外側を覆うように在る所定部分と、それに対応する第１ケースの所定部分とが、それぞれ略平面形状に形成されて互いに接当する状態で、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてあることを特徴とする。
【００４８】
このように、第１ケースの接続用窓部を覆う第３ケースの本体部の周辺部の一部に内側壁体を立設させたことによって、この第３ケースを構造的に強度あるものとすることができて、基板ユニットの内部へのワイヤー、冶具等による不正侵入に際して、第３ケースを変形させようとしたときに容易に変形させることが難しくなり、不正侵入をより一層確実に防止できる。
【００４９】
また、第３ケースの内側壁体を、前記第１ケースの前記接続用窓部を形成する窓部壁体の内側面に沿わせるようにしていることで、内側壁体と窓部壁体とが重なる部分が生じ、且つ、内側壁体が本体部から立設されていることで、両者の間にワイヤー等を侵入させようとしても、内側壁体が邪魔になって直線的に侵入できないと共に両者間に侵入を開始できたとしても、前記両者の重なる部分を通過しなければならず、その侵入方向が制限されることとなって、ケース内部に対する不正を容易に行い得ないのである。
【００５０】
手段１５：前記手段１４の遊技機において、
前記内側壁体が、コの字の開口を前記第１ケースの外周側に向けた正面視でコの字を形成するように構成されていることを特徴とする。
【００５１】
このように、第３ケースの前記内側壁体がコの字状に構成されることで、単板が立設されるのに比べ、大幅な剛性のアップを図ることができて、第３ケースを変形させる不正侵入の防止をより一層確実なものとすることができる。
【００５２】
手段１６：前記手段１５の遊技機において、
前記第３ケースが、前記第１ケースに固定される前記制御基板により前記第１ケース側に押圧されて、前記第１ケースと密接するようにされていることを特徴とする。
【００５３】
このように、第１ケース側に制御基板を固定するものとし、この制御基板により第３ケースを第１ケースと密接させるものとすることにより、第３ケースと第１ケースとの密着状態に更に圧力を加えることができて、異物侵入を試みようとしても両者の合わせ目に容易に間隙が生じなくなるようにすることができる。
【００５４】
手段１７：前記手段１６の遊技機において、
前記第１ケースが透明又は半透明の合成樹脂で成型され、前記第３ケースの内側壁体の長手方向の内側壁体部分が、前記第１ケースの中心側に向けて、該第１ケースの壁体内面に近づく状態で略並行に延びて識別情報表示部に構成されていることを特徴とする。
【００５５】
このように、前記第３ケースに識別情報表示部が延設されていることで、この識別情報表示部が第３ケースの補強リブとして機能し、第３ケースの強度を向上させることができると共にこの部分に記号、名称等を付して識別情報表示することができ、この情報が、透明又は半透明の第１ケースから視認できるのである。
そして、この識別情報表示部が、第１ケースの壁体内面に近づく状態で略並行に延びる構成とされることで、第３ケースの内側壁体と第１ケースの壁体との間に異物を侵入させようとしたとき、その第３ケースの内側壁体が更に識別情報表示部として延設されていることで、両者の重複部を通り抜けたとしても直ぐに内部に至るものではなく、両者の間を簡単に通り抜けることができないのである。
【００５６】
手段１８：前記手段１７の遊技機において、
前記第１ケースの壁体内面の所定位置に、箱状のＣＰＵチップ収納部が設けられ、前記識別情報表示部が、前記ＣＰＵチップ収納部の長さを超える長さを有し、且つ、該ＣＰＵチップ収納部に対応する位置に配置され、該ＣＰＵチップ収納部に向けて延びるように構成されていることを特徴とする。
【００５７】
このように、第１ケースには、重要なＣＰＵチップを配置するに、これを不正侵入から保護するための箱状のＣＰＵチップ収納部が設けられているが、前記識別情報表示部を、このＣＰＵチップ収納部に対応する位置に設け、これに向かって延設されることで、第１ケースの接続用窓部側からの不正侵入（第３ケースの内側壁体と第１ケースの壁体との間に異物を侵入させる）に対して、ワイヤー等をＣＰＵチップ収納部に到達させようとしても、この間で前記識別情報表示部が邪魔になり、ＣＰＵチップ収納部の所要の位置に到達することができず、ＣＰＵチップ収納部の付け根部（第１ケースの壁面との接合部）にしか到達できないのであり、ＣＰＵチップに対する保護をより確実なものとすることができる。
【００５８】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００５９】
実施形態１
（パチンコ機の正面構成）
【００６０】
図１は本実施形態のパチンコ機１０の正面図であり、図２は、パチンコ機１０の左側面図であり、図３は、その平面図である。図４は、外枠１１に対して内枠１２と前面枠セット１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００６１】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
【００６２】
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００６３】
前面枠セット１４は、大別すると、その最下部に設けられた球受皿部分と、この球受皿部分よりも上側の範囲に形成される窓枠部分とを備えている。前記球受皿部分は、前面枠セット１４の下側部分に対してネジ等の締結具により固定されている。この球受皿部分の前面側には、下皿１５と球抜きレバー１７と遊技球発射ハンドル１８と灰皿２２とが設けられている。また、球受皿としての下皿１５は、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００６４】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射ソレノイドなどで構成されている。
【００６５】
音出力口２４は、前面枠セット１４の左右上端部位置に設けられたスピーカ（図示略）からの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００６６】
なお、前面枠セット１４はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００６７】
また、前面枠セット１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ内に嵌まり込むようにして取り付けられている。
【００６８】
つまり、この前面枠セット１４の側面の少なくとも一部（本実施例においては全周）が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。
【００６９】
一方、前記前面枠セット１４の球受皿部分のうち下皿１５の上方位置には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００７０】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００７１】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００７２】
次に、図５を用いて遊技盤３０の構成を説明する。図５は遊技盤３０の構成を示す正面図である。遊技盤３０の左右やや下方位置には、２組一対の一般入賞口３１、３１が階段状に位置され、中央下方には、始動口３３が配置され、此れらに対応した入球検出センサが、遊技盤３０の背面に設けられており、これらのセンサは、図示しない電気ハーネスを通じて後述する主制御基板８０（主制御装置）に接続されている。
【００７３】
そして、この一般入賞口３１、３１及び始動口３３に遊技球が入球した場合には、前記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００７４】
尚、前記入賞感知センサにて各々検出された検出結果は、後述する主制御基板８０に取り込まれ、該主制御基板８０よりその都度の入賞状況に応じた払出指令（遊技球の払出個数）が払出制御基板に送信される。そして、該払出制御基板の出力により所定数の遊技球の払出が実施される。
【００７５】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
【００７６】
その他に、遊技盤３０の左右下方位置には、前記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００７７】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００７８】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
【００７９】
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００８０】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００８１】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００８２】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
【００８３】
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図５のＳ１，Ｓ２）を貼着することで、遊技盤３０と証紙との一義性を持たせることができる。
【００８４】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
【００８５】
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００８６】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００８７】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００８８】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００８９】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球杆が設けられ、軸部に沿った打球杆のスライド移動に伴い遊技球が発射される。
【００９０】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠セット１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００９１】
また、前面枠セット１４を閉鎖した状態では、当該前面枠セット１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００９２】
図４に示すように、内枠１２の上側には、前面枠セット１４が内枠１２に対して開かれたことを検出する前面枠セット開検出スイッチ１３が設けられている。前面枠セット１４が開かれると、前面枠セット開検出スイッチ１３からホール内（パテンコ店内）用コンピュータヘ出力されるようになっている。また、前面枠セット１４が閉じられると、前面枠セット１４の金属製の補強板が、内枠１２の一対の金具に接触するようになっており、前面枠セット１４のアースが確保されている。
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１１に固定のブラケット７２６（上端部）（下端部は図外）に、内枠１２に固定の取り付け金具を枢着することで構成されている。
【００９３】
ここで、前述した前面枠セット１４について、図１乃至図４を参照しつつより詳細に説明する。
【００９４】
前面枠セット１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００９５】
加えて、前面枠セット１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した電飾部１０２が左右対称に設けられ、該電飾部１０２の中央であってパチンコ機１０の最上部には、同じくＬＥＤ等の発光部を内蔵した中央電飾部１０３が設けられている。
【００９６】
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００９７】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００９８】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００９９】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
（パチンコ機の背面構成）
【０１００】
図６は、遊技盤３０の背面図である。先ず、パチンコ機１０の背面構成について全体の概要を説明する。パチンコ機１０にはその背面（実際には内枠１２および遊技盤３０の背面）において、各種制御基板が上下に並べられるようにして配置されており、さらに、遊技球を供給するための遊技球供給装置（払出機構）や樹脂製の保護カバー等が取り付けられている。
【０１０１】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板８０と音声ランプ制御基板とが夫々取付台に搭載してユニット化されている。払出制御基板、発射制御基板および電源基板は、遊技盤３０以外のセット板を構成する排出通路盤にユニット化している。ここでは便宜上、主制御基板８０が設けられたユニットを「第１制御基板ユニット２０１」と称し、ランプ制御基板が設けられたユニットを「第２制御基板ユニット２０２」と称することとする。
【０１０２】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１、２０２やその他構成が前後に重ねて配置されても、隠れた構成等を容易に確認することを可能とするための工夫でもある。
【０１０３】
第１制御基板ユニット２０１は、取付台４０（図１２参照）を有し、この取付台に主制御装置が搭載されている。ここで、主制御装置は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板８０を具備しており、この主制御基板８０が透明樹脂材料等よりなる基板ユニットに収容された構成とされる。
【０１０４】
第２制御基板ユニット２０２は、音声ランプ制御装置が含まれる。払出制御装置、発射制御装置および電源制御装置は周知の通り制御の中枢をなすＣＰＵや、その他ＲＯＭ、ＲＡＭ、各種ポート等を含む制御基板を具備しており、払出制御装置により、賞品球や貸出球の払出が制御される。
（特徴構成）
【０１０５】
この実施例において、基板ユニットとして「第１制御基板ユニット２０１」と「第２制御基板ユニット２０２」について言及したが、本発明の特徴説明に際しては、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなる主制御基板８０が搭載されている第１制御基板ユニット２０１について説明する。
【０１０６】
前記第１制御基板ユニット２０１は、第１ケース７０、主制御基板８０、第２ケース８５、第３ケース９０及び接続部カバー２６を主要構成要素として備えている。本実施形態では、第１ケース７０が主制御基板８０を収容する容積のある方であり、第２ケース８５がその蓋体に相当する方であり、この第１ケース７０と第２ケース８５とが主制御基板８０を収納する基板ユニットの主要部を構成している。
【０１０７】
図７乃至図１０に示すように、この基板ユニット２０１は、前記第１ケース７０側に設けられる第１封止部７１と、前記第２ケース８５側に設けられる第２封止部８６と、その第１封止部７１と第２封止部８６とを連結する第１の封止部材８７とを有し、その封止部材８７によって前記第１封止部７１と第２封止部８６とが連結されている場合に前記制御基板８０を取り出すときには基板ユニット２０１を破壊するか或いは所定の部位を切断することを必要とするものであり、且つ、前記第１ケース７０に、前記制御基板８０に接続されるコネクタ９９のための接続用窓部７２が設けられたものである。
ここで、第１封止部７１と第２封止部８６とは対を成すものであり、この実施例では、第１制御基板ユニット２０１は、個別に使用される５対の封止部７１，８６を具備しており、夫々封止部材８７を用いて封止されるように構成されたものであり、こうした封止構造は、公知に属するものと変わらないものであるから、ここでの詳細説明は省略する。
【０１０８】
第１ケース７０と第２ケース８５の封止状態においては、前記主制御基板８０を取り出すために、基板ユニット２０１を破壊するか或いは第１封止部７１又は第２封止部８６の所定部位を切断することが必要となり、これにより、封止状態を解除すると必ずその痕跡が残ることになる。したがって、管理権限のない者が封止状態を解除してＲＯＭ交換等不正な細工を主制御基板８０に行うと、その事実は管理権限者の容易に知るところとなり、不正な細工がなされた主制御基板８０を使用して遊技が行われてこれにより被害が発生するのを防止することができる。
【０１０９】
また、主制御基板８０には、球検出センサのハーネスを含む各種制御用ハーネスが接続されるコネクタ２５，２５、・・・（この実施例では５個）の集合部分（コネクタ集合部）３２が設けられており、前記第１ケース７０には、コネクタ集合部３２の各コネクタ２５，２５、・・・に前記球検出センサのハーネスを含む各種制御用ハーネスを接続させるための接続用窓部７２が設けられている。
【０１１０】
また、前記接続用窓部７２の開口は、内部の主制御基板８０に対する前記各種コネクタの接続を行う為のものであるので、第２ケース８５との接合部側に位置された部分に形成されているものであり、第１ケース７０の一側部において壁面から段部７０ａが形成された所に、外側の部分を残して開口を形成しているものである。前記段部７０ａは，この実施例では、第１ケース７０の壁面から２０ｍｍの高さを持つように設定されている。
【０１１１】
尚、この実施例においては、前記接続用窓部７２の開口は、約１５ｍｍ×１７７ｍｍのものが一つである。しかし、この開口は、他の形態として、一つでなく、複数に区画されている場合もこの接続用窓部７２に含まれる。
【０１１２】
このように、前記第１ケース７０には、前記主制御基板８０に接続される各種コネクタのための接続用窓部７２と、前記接続用窓部７２及び前記主制御基板８０の表面から所定距離離れて略水平方向に設けられる天板部７７と、前記接続用窓部７２及び前記天板部７７を繋ぐ窓部壁体７３と、が設けられている。
【０１１３】
また、第１ケース７０の奥側（後述の内側壁体長辺部分９３ａと当接する側）の窓部壁体７３には、第３ケース９０の軸支持用板部２７と協働して接続部カバー２６の支軸２９を回転自在に支持するための軸受を構成する、下向きに開口を有する鈎形の軸受鈎部２８が、所定の間隔を隔てて５個突設されている。また、前記奥側の窓部壁体７３の軸受鈎部２８の配設位置には、第１ケース７０の厚み方向に延びる５個のスリット２３が設けられている。こられのスリット２３の下端部には、これらのスリットを跨ぐ細いリブ２３ａが夫々設けられている。各スリット２３は、後述する第３ケース９０の内側壁体長辺部分９３ａに突設された５個の軸支持用板部２７を第１ケース７０の外側に突出させるためのものである。
これらの軸支持用板部２７は、内側壁体長辺部分９３ａに段部（２ｍｍ）を形成しているが、窓部壁体７３に嵌り込んだ状態では、窓部壁体７３の壁面と面一になる。
【０１１４】
この軸支持用板部２７が、後述の支軸２９が軸受鈎部２８に入った状態で、前記軸受鈎部２８の下向きに開口する鈎形を、下側から封鎖し、以って、前記軸受鈎部２８とは協働して接続部カバー２６を回動可能に支持するものである。この際、５個のスリット２３は、それぞれ１個の軸支持用板部２７に対応し、５個の支軸２９を各１個の軸支持用板部２７で支持している。
【０１１５】
図１０に示すように、前記接続用窓部７２を密着状態で覆い、ここでは５個のコネクタ用開口部９１を有する第３ケース９０を、前記第１ケース７０の内側から着脱自在に取り付け得るように構成し、前記第３ケース９０の前記接続用窓部７２を覆う本体部９２の周辺部、ここでは長方形をなす本体部９２の３辺に、前記第１ケースの前記接続用窓部７２を形成する窓部壁体７３の内側面に密着する内側壁体９３を立設させてある。これらの具体構造については以下順次説明する。
【０１１６】
尚、前記の第１ケース７０の接続用窓部を第３ケース９０が密着状態で覆う構成であるが、部分接当で、完全密着でなくてもよい。
【０１１７】
この実施例では、図７にも示すように、前記内側壁体９３が、コの字の開口を前記第１ケースの外周側に向けた正面視でコの字を形成するように構成されている。この内側壁体９３は、コの字を形成する本体部９２の長辺に沿った内側壁体長辺部分９３ａと、その両隣の短辺の内側壁体短辺部分９３ｂ，９３ｂから成る。このコの字を形成するように見える正面視とは、第３ケース９０を第１ケース７０に装着した状態で、第１ケース７０の外側から正面視で見た状態を言う。実際には、第３ケース９０がその長辺が短辺に比べて非常に長い長方形であるため、内側壁体長辺部分９３ａと、その両隣の短辺の内側壁体短辺部分９３ｂ，９３ｂから成るコの字は、縦長のコの字となっている。
【０１１８】
このように、前記第３ケース９０のうち、前記接続用窓部７２を覆う本体部９２の周辺部の一部に、前記窓部壁体７３の内側面に沿って設けられる内側壁体９３を立設させてある。
【０１１９】
そして、図７及び図９に示すように、前記第３ケース９０の本体部９２の外側面９２ａと第１ケース７０の接続用窓部７２の窓部壁体７３の端面７３ａが面一に形成され、前記第３ケース９０の長手方向のコの字の対向壁、ここでは前記内側壁体９３の短辺部分９３ｂ，９３ｂの外側に、前記第１ケース７０にネジ止めする連結部９４が夫々設けられ、前記第３ケース９０の本体部９２の外側面９２ａに対して直交する方向のネジ止めによって前記第３ケース９０の本体部９２が第１ケース７０の接続用窓部７２の窓部壁体７３を圧接密着するように構成されている。この実施例では、前記内側壁体長辺部分９３ａと、その両隣の短辺の内側壁体短辺部分９３ｂ，９３ｂは、共に前記本体部９２の外側面９２ａからの立ち上がりが、２０ｍｍに設定されており、隣接する連結部９４の下端は、前記本体部９２の底面（内側に位置）と前記内側壁体短辺部分９３ｂ，９３ｂの下端に一致するように構成されている。
【０１２０】
また、前記第１ケース７０が、透明又は半透明の合成樹脂で成型され、前記第３ケース９０の内側壁体９３の長手方向の内側壁体部分、ここでは、前記内側壁体長辺部分９３ａが、前記第１ケース７０の中心側に向けて、該第１ケース７０の壁体内面に近づく状態で略並行に延びて識別情報表示部９５に構成されている。このように構成することで、万一、不正具が侵入してきた場合に、不正具が第１ケース７０の壁体内面と識別情報表示部９５とが近接していることで進行を阻止されるか、または進行されても、その進行方向を両者によって規制することができ、不正具が容易に内部のＣＰＵチップ収納部７４へ到達するのを防止し、以って、不正を阻止できるのである。
この識別情報表示部９５は、前記第１ケース７０と同様に、第３ケース９０を形成する透明又は半透明の合成樹脂でもって、平板状に一体成型されているが、有色であってもよい。そして、この識別情報表示部９５は、前記内側壁体長辺部分９３ａの長手方向の全長に亘って、僅かに斜めに延びて（斜め部分が８ｍｍ程度）、しかる後に、その内側壁体長辺部分９３ａに対して直角の方向に延びている（約２３ｍｍ程度）。
【０１２１】
ここで、識別情報表示部９５の第１ケース７０と対抗する面には、両端部が前記内側壁体短辺部分９３ｂ，９３ｂと接続された、識別情報表示部９５の長手方向に延びる突条９３ｃが設けられている。この突条９３ｃの上端面と内側壁体短辺部分９３ｂ，９３ｂの上端面とは面一に形成されている。その結果、平面視では、前記突条９３ｃと内側壁体短辺部分９３ｂ，９３ｂの上端面とによってコの字を形成している。また、第１ケース７０の内側面には、窓部壁体の基部に沿って、前記突条９３ｃ及び内側壁体短辺部分９３ｂ，９３ｂの上端部と嵌合する溝４１（凹部）が、第１ケース７０の外側面に凸に突出する状態で、形成されて設けられている。上述した前記軸受鈎部２８の上面は、この第１ケース７０の外側面に凸の上面の外に出ないように構成されている。
【０１２２】
図８に示すように、前記第３ケース９０の本体部９２の外側面９２ａにおいて、前記球検出センサのハーネスを接続するためのコネクタ用開口部９１（図の右寄り２つの開口部）には、これを囲む保護壁９６が立設されている。このように、球検出センサを接続するためのコネクタ用開口部９１を囲むように保護壁９６を立設することによって、球検出センサのコネクタに異物が挿入されるのをより完全に防止することができる。
【０１２３】
この実施例においては、前記コネクタ用開口部９１は、既述のように５個が互いに所定の間隔を空けて設けられており、その二つ（球検出センサのコネクタ）に前記保護壁９６が設けられている。この保護壁９６の前記本体部９２の外側面９２ａからの立ち上がりの高さは、６ｍｍに設定している。勿論、何れのコネクタ用開口部９１に保護壁９６を設けるのかは設計上の問題であり（対応位置の制御基板８０の特定構造のコネクタの接続を必要とする各素子の配置による）、場合によっては、全てのコネクタ用開口部９１に保護壁９６を設ける場合もあると共に逆に何れのコネクタ用開口部９１にも設けないこともあり得る。この実施例では、前記二つの保護壁９６は、更に、他の三つの大型のコネクタと異なり、連結時の結合力が比較的小さな小型のコネクタ（球検出センサのコネクタ）にそのハーネスを引っ張る力が横方向に作用したときに、その横向きの引っ張り力では容易に抜けないように、即ち、真上の方向でのみ抜けるように規制する機能も備えている。
【０１２４】
図１０に示すように、前記第１ケース７０の壁体内面の所定位置、ここでは略中央位置に、箱状のＣＰＵチップ収納部７４が設けられ、前記識別情報表示部９５が、前記ＣＰＵチップ収納部７４の長さ（ここでは、６５ｍｍ）を超える長さ（１８５ｍｍ）を有し（第３ケース９０の本体部９２の全長）、且つ、該ＣＰＵチップ収納部７４をと接続用窓部７２とを横切るように配置され、該ＣＰＵチップ収納部７４に向けて延びる（約２５ｍｍ）ように構成されている。
【０１２５】
図７及び図１０に示すように、前記第３ケース９０の本体部９２のコの字開口側の一側縁の外側面９２ａを受け止める受け部７５が前記第１ケース７０の窓部壁体７３に設けられている。
【０１２６】
この受け部７５は、第１ケース７０の窓部壁体７３を構成する第１ケース７０の一側辺の内側に位置し、この一側辺の内側に形成された細幅の基板受面７６から、この第３ケース９０の厚み分だけ一段落ち込んだ状態で形成され、図１０に示すように、前記外側面９２ａの外側縁９２ｂと当接するように形成されている。ここで、主制御基板８０は、複数のねじ孔４６に挿通されるねじ（図示略）により第１ケース７０に固定するものとされており、図１０に示すように、第３ケース９０の前記外側縁９２ｂは、前記ねじにより第１ケース７０に固定される主制御基板８０の辺縁部により第１ケース７０側に押圧されて、前記受け部７５と密接するようにされている。
【０１２７】
以下、接続部カバー２６を説明する。接続部カバー２６は、接続用窓部７２を介してハーネスを主制御基板８０の各コネクタ２５に接続し得るように接続用窓部７２の配設箇所を露出させる開姿勢と、接続用窓部を介してハーネスを接続した後には配設箇所を外部からのアクセスが困難なように覆う閉姿勢との間で姿勢の切替が可能に、第１ケース７０に開閉自在に設けられたものである。詳述すると、接続部カバー２６は、閉姿勢にてコネクタ接続部を囲う覆いを形成するように４枚の板部、即ち、閉姿勢で第１ケースの天板部７７と平行となる上板部２６ａと、これに垂直な前板部２６ｂと、上板部２６ａ及び前板部２６ｂに垂直な２枚の側板部２６ｃ、２６ｃとからなるものであり、ここでは、透明な合成樹脂製で一体成型されている。そして、上板部２６ａの端縁部には、５個の開口２６ｄが形成されて、その開口２６ｄの隣接する端縁部によって、５個の支軸２９が形成されている。
このように、前記接続部カバー２６の一側部に、該接続部カバー２６の長手方向に沿う軸心を持つ支軸２９が設けられ、前記第１ケース７０に対して回動可能に枢着され、前記接続用窓部７２を開閉できるように構成されている。このように、前記第１ケース７０に枢支連結のための軸受鈎部２８が設けられ、前記支軸２９が、前記接続部カバー２６の一側部に形成した開口２６ｄにより、該開口２６ｄに隣接する前記接続部カバー２６の側部によって一体構成され、且つ、該開口２６ｄが前記軸受鈎部２８の一部を挿通する大きさに形成されている。また、前記接続部カバー２６の開口２６ｄが所定の間隔を隔てて５個形成されて対応する５本の支軸２９を形成し、これに対応させて前記軸受鈎部２８が５個設けられているのである。
【０１２８】
また、前板部２６ｂは、２枚の側板部２６ｃ、２６ｃよりも下方に長く延び、第１ケース７０の側壁を外から覆う状態に構成され、封止時には、その第１ケース７０の側壁に密着する。
更に、上述の軸受鈎部２８が、接続用窓部７２を形成するための平面視凹部の奥部から横外側に向けて所定の距離離れた位置に設けられていることで、前記接続部カバー２６を回動させて開く時に、第１ケース７０の外側面に衝突することなく、７０乃至８０度の開度が得られ、ここでは前板部２６ｂが延長されて実質的にＬ形となっている接続部カバー２６であるため、大きな開度が得られないと、コネクタの差し込み、抜き出しが容易に行い得ないところ、この実施例構造では、楽に行い得る。
【０１２９】
他方、第１ケース７０の窓部壁体７３の上端縁部において、前記５個の支軸２９に対応する位置に、上述した、下向きに開口を有する鈎形の軸受鈎部２８が、所定の間隔を隔てて５個突設されているので、これらの支軸２９により、接続部カバー２６は第１ケース７０の窓部壁体７３の上端縁部にて前記軸支持用板部２７と軸受鈎部２８とにより軸支される。また、前板部２６ｂの下端部側で、その長手方向の略中間部分には第３封止部３７が４個、長手方向に沿う横並び状態で、所定間隔を隔てて、外方に突出するように設けられており、これに対応して、第２ケース８５には、第４封止部３９が４個、同様に第２ケース８５の長手方向に沿う横並び状態で、所定間隔を隔てて、外方に突出するように設けられている。
【０１３０】
そして、第４封止部３９は、封止、開封を繰り返す際に、容易に第１ケース７０から切り離しできるように、夫々細いリブ３９ａでもって、第１ケース７０の開口縁近傍で外方に突出して一体的に、ここでは４個が直列配置で設けられている。第３封止部３７と第４封止部３９とには、それぞれ凹部が形成され、ここに収容された封止部材８８（図１１参照）によって結合することにより、閉姿勢の接続部カバー２６を封止状態にて固定することが可能となる。即ち、第３封止部３７と第４封止部３９とが封止手段の構成要素となっている。
前記封止部材８８は、図１１に示すように、楔形の係合部８８ａと、これに繋がる２本の帯状体８８ｂと、これらの帯状体８８ｂを支持する基部８８ｃとからなり、前記２本の帯状体８８ｂが上下の方向に変移可能で、係合部８８ａを下方に変移させることで弾力を蓄積し、伸びる方向に弾性を発現することで、前記係合部８８ａによる解除不能の係合ができるように構成されているものである。
従って、接続部カバー２６を閉姿勢に回動させたときに、第３封止部３７の凹部の内部の一部の回動軌跡内に位置する楔形の係合部８８ａに接当し、帯状体８８ｂを圧縮変移せしめ、その回動が進行して楔形の係合部８８ａの位置が、相対的に第３封止部３７の凹部に至ると、帯状体８８ｂの圧縮が開放され、伸長することにより係合部８８ａが凹部に係合し、封止が行われることになる。
【０１３１】
更に、図８にも示すように、前板部２６ｂには主制御基板８０に接続したハーネスを通すためのハーネス取出し用の凹部４４が、前記第３封止部３７の一側に位置されて形成されている。前記ハーネス取出し用の凹部４４は、５個のコネクタのハーネスを導出するのに必要な広幅の凹部とされている。この凹部４４は、前板部２６ｂの下端部から上端部側に向けての切り込み状態で形成されている。この構造によって、コネクタの連結後、接続部カバー２６を閉じる際に、そのハーネスを、接続部カバー２６の回動に合せて、ハーネス取出し用の凹部４４Ａ、４４Ｂ凹部に挿通することができ、接続部カバー２６からのハーネスの導出が極めて容易に行い得る。
【０１３２】
そして、前記凹部４４に近接してハーネスフック１５０を前記接続部カバー２６に一体的に設け、前記接続部カバー２６の閉鎖時にハーネスの噛みこみを防止するように構成してある。
具体的には、前記ハーネスフック１５０が、前記凹部４４の入り口部４４ａの一側部４４ｂが基端部１５０ａとされ、該凹部４４を所定の間隔を隔てて横切るように延設され、他側部４４ｃに対して遊離した遊端部１５０ｂとされ、平面視略Ｌ字型に形成されている。
そして、前記ハーネスフック１５０は、前記凹部４４の入り口部４４ａ側から反対側に向けて幅を有する板状体で構成され、前記遊端部１５０ｂは、外方から凹部４４へのハーネスの進入を許容するが容易に外方に抜け出せない鈎爪１５０ｃに構成されている。即ち、この鈎爪１５０ｃは、ハーネスの外方からの入りよりも大きな力が作用しないと、抜け出さないようにされているのである。
【０１３３】
尚、ハーネス取出し用の凹部４４が、前記第３封止部３７の一側に位置されて形成されているが、二箇所に形成されてもよく、両者の配置は、交互に交錯していても良いし、第３封止部３７が、接続部カバー２６の長手方向の略中間位置でなく、両側端の所定数分離して配置され、その間にハーネス取出し用の凹部４４が、配置されていても良く、更に、その凹部も、２箇所でなく、３箇所以上でも適宜数形成して良い。
【０１３４】
上述のように、コネクタのハーネスを外部に導出する状態で前記接続用窓部７２を覆うことができるように接続部カバー２６を前記第１ケース７０に開閉自在に設け、該接続部カバー２６に第３封止部３７を設け、該第３封止部３７に対応する第４封止部３９を第２ケース８５に備え、前記接続部カバー２６の閉状態において、前記第３封止部３７と第４封止部３９とを第２の封止部材である破断ネジ８８を用いて封止し、その封止部材によって前記第３封止部３７と第４封止部３９とが連結されている場合に前記接続部カバー２６を開閉するときには該接続部カバー２６を破壊するか或いは所定の部位を切断することを必要とするように構成してある。
【０１３５】
次に、図１４乃至図１９に基づいて、第１ケース７１であるケース本体部４００と、第２ケース８５である蓋体部５００の係合について述べる。
先ず、係合部５０６の受部５０８の構造について詳述する。
前記受部５０８は、第２ケースである蓋体部５００の側端部で、前記係合部５０６の各爪部５０７に対応する位置に３個配置されており、各々の構造は次の通りである。
この受部５０８を設けるに、蓋体部５００の合わせ面側壁端面に、前記爪部５０７の約１／２の厚み分だけ内側方向にコの字に切り欠かれた切り欠き溝５０８ａが形成され、この切り欠き溝５０８ａに合致し、且つ、連続するところのコの字溝５０８ｂを有し、その先端部５０８ｃが有底の角形筒状体の受部５０８が、この蓋体部５００の側端部に一体成型されている。前記コの字溝５０８ｂは、角形筒状体の受部５０８の先端側の逆向きのコの字溝ｅに連続している。この逆向きのコの字溝ｅは、これを蓋体部５００の外側から見た状態の形状である（角形筒状体の受部５０８の長手方向に直交する方向の断面を見るとコの字）。
【０１３６】
この角形筒状体の受部５０８の先端部側の下面、即ち、ケース本体部４００側に面した壁部が切り欠かかれ、開口部５０８ｄが形成されている。
この開口部５０８ｄは、角形筒状体の受部５０８に進入してきた爪部５０７の先端の鉤形のフック５０７ａが係入するためのものである。
このように、受部５０８が角形筒状体に形成されたことで、この受部５０８に対する爪部５０７の係合を容易に解除出来ないようにすることができ、これにより係合解除規制部を構成することになる。
このような係合解除規制部として、受部５０８を角形筒状体に形成するほか、前記係合部５０６，５０６の間に規制壁を設けたり、受部５０８に後述のネジ止め部５１０Ａを併置させるようにすることで同じ係合解除規制を行うようにすることができる。
【０１３７】
従って、この受部５０８を外側から見ると、前記コの字溝５０８ｂを形成する側面と、前記逆向きのコの字溝５０８ｅ（外側にコの字溝が開口）との間が、僅かの長さ（約１ｍｍ）だけ貫通する状態に形成されている。
この構造を、蓋体部５００の側面視でみると、受部５０８の先端側に、ケース本体４００に曲がったＬ字形状を呈する。
更に、前記コの字溝５０８ｂと逆向きのコの字溝５０８ｅの連通状態を、蓋体部５００の側面視で見ると(実際は有底で見えない)、その角形筒状体の内部として、丁度爪部５０７の厚み（２ｍｍ）の連通孔を形成することになる。
上記構成の係合部５０６の係合プロセスについては、後に言及する。
【０１３８】
図１４乃至図１９に基づいて、更に追加説明を行う。図１４は、係合プロセス開始の状態の斜視図で、図１５は、そのＡ−Ａ矢視断面図であり、図１６は、係合直前の工程の状態を示す斜視図で、図１７は、そのＢ−Ｂ矢視断面図であり、図１８は、係合状態の斜視図で、図１９は、そのＣ−Ｃ矢視断面図である。図１４、図１６、図１８は、前記ケース本体部４００と蓋体部５００とを、一つの爪部５０７が長手方向に破断される状態で示されている。
前記係合部５０６は、爪部５０７とこれを受け止める受部５０８、５０８とから構成され、且つ、第１ケースである前記ケース本体部４００側に爪部を、第２ケースである蓋体部５００の側に受部５０８，５０８を設けている。
更に、前記爪部５０７と受部５０８，５０８のうち、この変形例でも爪部５０７の方を弾性変形する弾性部５０９に構成している。
【０１３９】
前記爪部５０７は、細い扁平の板状体（長さ約１５ｍｍ、幅約５ｍｍ、厚さ約２ｍｍ）が、ケース本体部４００成型時に、該ケース本体部４００の前記本体側封止部４０１が設けられた一側辺と対向する側の一側辺に一体的に外方に向けて突出するようにして構成されている。従って、プラスチック成形による素材の弾性が発現可能で、この実施例では、此れ自体が弾性部５０９を構成することになっている。
尚、この爪部５０７は、ケース本体部４００の成型時に一体成形されるのではなく、この爪部５０７を別途成形しておいて、ケース本体部４００に接着又は融着する方法で設けることができる。
【０１４０】
そして、前記ケース本体部４００の一側辺の幅方向の一側に、所定長さの（幅の約１／２）のネジ止め部５１０Ａ(５１０Ｂは、蓋体部５００側)が形成されており、その片側において、２個の係合部５０６，５０６が、中間に基板取り付けネジ部５２１を介在させて、所定の間隔を隔てて設けられている。そして、ネジ止め部５１０Ａ（５１０Ｂは、蓋体部５００側）の他側において、１個の係合部５０６が配置されている。
そして、ネジ止め部５１０Ａ（５１０Ｂは、蓋体部５００側）の片側の最外側の係合部５０６の爪部５０７は、その外側部が前記ケース本体４００の内側に位置して、前記ケース本体部４００の側壁の内側に摺接するように配置されている。
【０１４１】
前記各爪部５０７は、先端に鉤形のフック５０７ａが形成されており、前記ケース本体部４００と蓋体部５００の嵌合が最終となったときに、そのフック５０７ａが弾性変形を経て、受部５０８に係合するように構成されている。
【０１４２】
前記受部５０８，５０８は、第２ケースである蓋体部５００の側端部で、前記係合部５０６の各爪部５０７に対応する位置に、夫々３個配置されており、各々の構造は次の通りである。
この受部５０８，５０８の受部５０８を設けるに、蓋体部５００の合わせ面側壁端面に、前記爪部５０７の約１／２の厚み分だけ内側方向にコの字に切り欠かれた切り欠き溝５０８ａが形成され、この切り欠き溝５０８ａに合致し、且つ、連続するところのコの字溝５０８ｂを有し、その先端部５０８ｃが有底の角形筒状体の受部５０８が、この蓋体部５００の側端部に一体成型されているものである。前記コの字溝５０８ｂは、角形筒状体の受部５０８の先端側の逆向きのコの字溝ｅに連続している。この逆向きのコの字溝ｅは、これを蓋体部５００の外側から見た状態の形状である（角形筒状体の受部５０８の長手方向に直交する方向の断面を見るとコの字）。
【０１４３】
この角形筒状体の受部５０８の先端部側の下面、即ち、ケース本体部４００側に面した壁部が切り欠かかれ、開口部５０８ｄが形成されている。この開口部５０８ｄは、角形筒状体の受部５０８に進入してきた爪部５０７の先端の鉤形のフック５０７ａが係入するためのものである。また、爪部５０７と受部５０８との係合を解除しようとするときに、この開口部５０８ｄから工具を差し込んで、爪部５０７を弾性変形させ、開口部５０８ｄからフック５０７ａを浮き上がらせて係合状態をさせるために用いる。
【０１４４】
（係合部５０６の作用の説明）
上記係合部５０６の作用について説明すると、図１４に示す状態は、ケース本体部４００と蓋体部５００とが、その係合溝４１１と嵌合用突条体５１１との嵌合で面合わせされた状態から、両者のスライド嵌合がなされる直前の状態である。図１５は、この状態の図１４におけるＡ−Ａ矢視縦断側面図であり、前記爪部５０７が、図示で左方向にスライドされて移動する。
【０１４５】
図１６は、前記爪部５０７が受部５０８に到達し、その爪部５０７のフック５０７ａが角形筒状の受部５０８の内部コの字の底部に乗り上げ、弾性変形をはじめる。図２４は、この状態の図２３におけるＢ−Ｂ矢視縦断側面図であり、ここから更にスライドが進行する。
図１８は、ケース本体部４００と蓋体部５００とのスライド嵌合が終わった状態であり、図１９は、図１８におけるＣ−Ｃ矢視縦断側面図であって、このとき、爪部５０７のフック５０７ａが、受部５０８の開口部５０８ｄに至って、弾性復元力によって、その開口部５０８ｄに落ち込むことになる。これによって、ケース本体部４００と蓋体部５００とが、スライド方向で係合されることになり、開き方向への解除ができない。そして、この状態において、本体側封止部４０１と蓋体側封止部５０１とが封止ピン７００によって固定される。
【０１４６】
この後に、不正行為者が前記本体側封止部４０１と蓋体側封止部５０１を破壊して基盤ユニット２０１を開封しようとした際、従来ではこれを破壊しただけで開封できていたのが、上記の複数（３個或いは４個）の係合部５０６が係合しているため、これを解除しなければ、或いは破壊しなければ開封できず、この分、非常に時間と手間を要することになるのである。
また、複数の係合部５０６が設けられていることで、それらが何処に存在するかを見出さなければならず、それも手間を要するものであり、その結果、従来のように簡単に、短時間で不正が行われるのを抑止することができる。
（本発明の作用）
【０１４７】
第１ケース７０及び第２ケース８５を有して内部に制御基板８０が設けられた基板ユニットであって、前記第１ケース７０側に設けられる第１封止部７１と、前記第２ケース８５側に設けられる第２封止部８６と、その第１封止部７１と第２封止部８６とを連結する封止部材８７とを有し、その封止部材８７によって前記第１封止部７１と第２封止部８６とが連結されている場合に前記制御基板８０を取り出すときには基板ユニットを破壊するか或いは所定の部位を切断することを必要とする。このような基板ユニットを備え、前記第１ケース７０に、前記制御基板８０に接続されるコネクタのための接続用窓部７２が設けられている。
そして、コネクタのハーネスを外部に導出する状態で前記接続用窓部７２を覆うことができるように接続部カバー２６を前記第１ケース７０に開閉自在に設け、該接続部カバー２６に第３封止部３７を設け、該第３封止部３７に対応する第４封止部３９を第２ケース８５に備え、前記接続部カバー２６の閉状態において、前記第３封止部３７と第４封止部３９とを封止部材である破断ネジ８８を用いて封止し、その封止部材によって前記第３封止部３７と第４封止部３９とが連結されている場合に前記接続部カバー２６を開閉するときには該接続部カバー２６を破壊するか或いは所定の部位を切断することを必要とするように構成してある。
【０１４８】
また、前記の構成、即ち、第１ケース７０の接続用窓部７２を覆う第３ケース９０の本体部９２の周辺部の一部に内側壁体９３を立設させたことによって、この第３ケース９０を構造的に強度あるものとすることができて、基板ユニットの内部へのワイヤー、冶具等による不正侵入に際して、第３ケース９０を変形させようとしたときに容易に変形させることが難しくなり、不正侵入をより一層確実に防止できるものである。
【０１４９】
また、前記内側壁体９３を前記第１ケース７０の前記接続用窓部７２を形成する窓部壁体７３の内側面に密着するようにしていることで、内側壁体９３と窓部壁体７３とが重なる部分が生じ、且つ、内側壁体９３が本体部９２から立設されていることで、両者の間にワイヤー等を侵入させようとしても、内側壁体９３が邪魔になって直線的に侵入できないと共に両者間に侵入を開始できたとしても、前記両者の重なる部分を通過しなければならず、その侵入方向が制限されることとなって、ケース内部に対する不正を容易に行い得ないのである。
【０１５０】
更に、第３ケース９０の前記内側壁体９３がコの字状に構成されることで、単板が立設されるのに比べ、大幅な剛性のアップを図ることができて、第３ケース９０を変形させる不正侵入の防止をより一層確実なものとすることができる。
【０１５１】
また、第３ケース９０の本体部９２の外側面９２ａと第１ケース７０の窓部壁体７３の端面７３ａを面一にすることで、両者の接当を密着させることができると共に第３ケース９０の本体部９２の連結部９４を設けるに、第３ケース９０の本体部９２の外側面９２ａに対して直交する方向のネジ止めとすることで、このネジの締め付けによって前記両者の密着状態に更に圧力を加えることができて、異物侵入を試みようとしても両者の合わせ目に容易に間隙が生じなくなるようにできるのである。
【０１５２】
そして、前記第３ケース９０に識別情報表示部９５が延設されていることで、この識別情報表示部９５が第３ケース９０の補強リブとして機能し、第３ケース９０の強度を向上させることができる。この識別情報表示部９５は、この部分にコネクタの配置（個数、形状）に対する機種の記号、名称等を付して識別情報表示することができ、この情報が、透明又は半透明の第１ケース７０から視認できるのである。
【０１５３】
また、この識別情報表示部９５が、第１ケース７０の壁体内面に近づく状態で略並行に延びる構成とされることで、第３ケース９０の内側壁体９３と第１ケース７０の壁体との間に異物を侵入させようとしたとき、その第３ケース９０の内側壁体９３が更に識別情報表示部９５として延設されていることで、両者の重複部を通り抜けたとしても直ぐに内部に至るものではなく、両者の間を簡単に通り抜けることができないのである。
【０１５４】
また、第１ケース７０には、重要なＣＰＵチップを配置するに、これを不正侵入から保護するための箱状のＣＰＵチップ収納部７４が設けられているが、前記識別情報表示部９５を、このＣＰＵチップ収納部７４と接続用場度部７２に対応する位置に設け、ＣＰＵチップ収納部７４に向かって延設されることで、第１ケース７０の接続用窓部７２側からの不正侵入（第３ケース９０の内側壁体９３と第１ケース７０の壁体との間に異物を侵入させる）に対して、ワイヤー等をＣＰＵチップ収納部７４に到達させようとしても、この間で前記識別情報表示部９５が邪魔になり、ＣＰＵチップ収納部７４の所要の位置に到達することができず、ＣＰＵチップ収納部７４の付け根部（第１ケース７０の壁面との接合部）にしか到達できないのであり、ＣＰＵチップに対する保護をより確実なものとすることができる。
【０１５５】
更に、第３ケース９０の本体部９２のコの字開口側では、そのままでは、上述の第３ケース９０の本体部９２の内側壁体９３と第１ケース７０の窓部壁体７３の端面７３ａとの接当が得られないところを、第１ケース７０に受け面７５を設け、ここで第３ケース９０の本体部９２のコの字開口側の一側縁の外側面９２ａを受け止めるようにしたことで、結果として第１ケース７０の窓部壁体７３の全周に亘って、第３ケース９０の本体部９２を確実に接当密着させることができるのである。
【０１５６】
また、第１ケース７０の内側面には、主制御基板８０をピッタリと嵌めこみ敷設するための基板受面７６が形成されているが、前記第１ケース７０の窓部壁体７３の開口によって、この部分だけ主制御基板８０の嵌めこみが浮いてしまうのを防止し、全体としての主制御基板８０の収まりを良くすることができる。
【０１５７】
そして、前記突条９７は、同時にその第３ケース９０の本体部９２のリブとして機能することにもなり、第３ケース９０の強度をアップさせる。
【０１５８】
また、主制御基板８０を第１ケース７０に固定するものとし、第３ケース９０の外側縁９２ｂを主制御基板８０の辺縁部により第１ケース７０側に押圧して受け部７５と密接するものとされているので、第３ケースと第１ケースとの密着状態に更に圧力を加えることができて、異物侵入を試みようとしても両者の合わせ目に容易に間隙が生じなくなるようにすることができる。
【０１５９】
更に、第３ケース９０の本体部９２には、コネクタ用開口部９１が存在するが、この開口を単なる開口とすると、挿入されたコネクタ９９は略全体が外部に露出することになり、コネクタ９９に他物が接当するとコネクタが変形したり、接合不良を来たし易くなるが、前記のように保護壁９６を立設することでコネクタ９９を保護することができると共にこのように本体部９２から保護壁９６を立設することで、この本体部９２の強度アップを図ることができる利点もある。
また、第１ケース７０の溝４１と、突条９３ｃ及び内側壁体短辺部分９３ｂの上端部との嵌合（凹凸嵌合）により、接続用窓部７２において窓部壁体７３と内側壁体９３との隙間から異物を侵入させようとしても前記嵌合部分にてそれ以上の侵入が阻止されることになり、不正な細工が行われるのをより完全に防止することが可能となる。
【０１６０】
ハーネスフックについて。
上述のように、ハーネスフック１５０を平面視略Ｌ字型に形成し、一方端を遊端部１５０ｂに構成することによって、その成型素材の弾性変形を行い易く、ハーネスをその遊端部１５０ｂに当てつけることで該遊端部１５０ｂを持ち上げるようにして隙間を形成でき、容易にハーネスを凹部４４内に進入させることができる。
また、ハーネスフック１５０が凹部４４の入り口部４４ａ側から反対側に向けて幅を有する板状体で構成されているので、凹部４４に入ったハーネスは、その板幅分だけ、凹部４４の入り口部か４４ａから内方に遠ざけることができ、即ち、前板部２６ｂの下端部から遠ざけることができて、この下端部と第１ケース７０の側壁との間での挟み込みをより確実に回避することができる。
尚、前記凹部４４については、細い溝状態の直線状のスリット、或いは曲がったスリット、略円形に近い形状、或いは半円形状、その他の形状のものが含まれる。
【０１６１】
（ハーネスフックの変形例）
図２０に示すように、ここでは、ハーネスフック１５０は、各フック部分１５０Ａ、１５０Ｂが、前記凹部４４の入り口部４４ａの両側部４４ｂ、４４ｃを基端部とし、該凹部４４の中央に向けて夫々対向する状態で近接するように延設され、各フック部分１５０Ａ、１５０Ｂは、形成素材の合成樹脂の弾性変形によって外方から凹部４４へのハーネスの進入を許容するが容易に外方に抜け出せないように構成されている。
このように、ハーネスフック１５０が二つの部分で構成され、そのフック部分１５０Ａ
、１５０Ｂが弾性変形することで、その凹部４４の中央部における各フック部分１５０Ａ、１５０Ｂの対向部からハーネスを凹部４４内に進入させるものであるから、ハーネスを真っ直ぐの状態から凹部４４内に進入させることができて、ハーネスを横に捻る必要がなく（ハーネスフック実施例の如きＬ型構造の場合には曲げ、又は捻る）、スムースな挿入が可能である。
【０１６２】
実施形態２
以下、図１２を参照して、本発明の実施形態２を説明する。図１２は、実施形態２の第１制御基板ユニットの分解図である。
図１２に示すように、実施形態２においては、接続部カバー２６の第３封止部３７と対になって閉姿勢の接続部カバー２６を封止状態にて固定する第４封止部３９Ａが、第１制御基板ユニット２０１を遊技盤３０の裏面に取り付けるための取付台４０に設けられている一方、第２ケース８５Ａからは第４封止部が取り除かれている。実施形態２において、その余の構成は実施形態１と同じであるからその詳細説明は省略する。前記第４封止部３９Ａは、封止、開封を繰り返す際に、容易に取付台４０から切り離しできるように、夫々細いリブ３９ｂでもって、取付台４０に連結されている。
このように、第２ケース８５Ａではなく、第１制御基板ユニット２０１を遊技盤３０に取り付けるための取付台４０に第４封止部３９Ａを設けることにより、基板ボックスを構成する第２ケース８５Ａの構造が簡素化されて、その小型化が可能となる。これにより、製造段階では独立した構成要素乃至は部品として取り扱われることの多い第１制御基板ユニット２０１の取り扱いが簡便となり、遊技機の製造工程が簡便化される。
尚、取付台４０が遊技盤３０の裏面に取り付けられるものであるので、遊技盤３０の裏面に、基板ユニットを取り付けない別の支持部材を固定し、この支持部材に第４封止部３９Ａを備えるようすると、別部材が必要ではあるが、実質同じ効果が得られる。
【０１６３】
実施形態３
以下、図１３を参照して、本発明の実施形態４を説明する。図１３は、実施形態４の要部詳細図であり、実施形態４では、接続部カバー２６Ａと第１ケース７０Ａとを一体的に形成するとともに、その境界線に所定回数の曲げ伸ばしが可能な薄肉部分４５を形成して、この薄肉部分４５を曲げ伸ばしして接続部カバー２６Ａの所定回数の開閉が可能なようにしたものである。
これにより、より簡易な構造で接続部カバー２６Ａを、姿勢切替可能に第１ケース７０Ａに設けることが可能となる。接続部カバーはごく限られた回数（通常４回まで）の開閉だけが予定されたものであり、何十回、何百回の開閉を予定しないものであるから、このような簡易な支持機構でも封止状態にて閉姿勢の接続部カバーを固定することが可能となる。
図中、引用部材番号は、説明を省略するが、上記実施例と同じ部材を示す。
尚、ここでは、上記封止部材８８に代えて、封止部材として破断ネジ（図示省略）が用いられる。
【産業上の利用可能性】
【０１６４】
本発明は、遊技機における基板ボックスのコネクタの接続用窓部からの不正アタックを、より確実に防止できるので、どのような種類の遊技機においても実施可能であり、その実施の応用範囲は広いものである。また、接続用窓部をカバーする接続部カバーの開閉に際し、ハーネスの断線を未然に回避できるので、種々の機種に用いて有用である。
【符号の説明】
【０１６５】
７１：第１封止部
８６：第２封止部
８７：第１の封止部材
７０：第１ケース
７２：接続用窓部
２６：接続部カバー
３７：第３封止部
３９：第４封止部
４４：凹部
８８：第２の封止部材
１５０：ハーネスフック
【図１】
0005590351.tif 000002
【図２】
0005590351.tif 000003
【図３】
0005590351.tif 000004
【図４】
0005590351.tif 000005
【図５】
0005590351.tif 000006
【図６】
0005590351.tif 000007
【図７】
0005590351.tif 000008
【図８】
0005590351.tif 000009
【図９】
0005590351.tif 000010
【図１０】
0005590351.tif 000011
【図１１】
0005590351.tif 000012
【図１２】
0005590351.tif 000013
【図１３】
0005590351.tif 000014
【図１４】
0005590351.tif 000015
【図１５】
0005590351.tif 000016
【図１６】
0005590351.tif 000017
【図１７】
0005590351.tif 000018
【図１８】
0005590351.tif 000019
【図１９】
0005590351.tif 000020
【図２０】
0005590351.tif 000021